(57)【要約】【課題】外乱や通信線に施工の影響を少なくして通信線に接続されているセンサ端末の確認を確実にした遠隔監視システムを提供することにある。【解決手段】マイコン１０は通信ドライバＩＣ１２を通じて行うセンサ端末ＡｎのＩＤサーチが成功しない場合にあっても、前回のＩＤサーチでメモリ１１に記憶させたＩＤコード或いは入力されたＩＤコードを利用してセンサ端末Ａｎを呼び出して接続されているセンサ端末Ａｎを確認する。これによりＩＤサーチ時にノイズ等の外乱や通信線の施工の影響があっても、その少なくして通信線に接続されているセンサ端末の確認を確実に行え、通常動作への移行が速やかに行える。【選択図】図１
2005020271.tif 000002
【特許請求の範囲】
【請求項１】
夫々に複数ビット数で表現された固有のＩＤコードを有し、監視対象の物理量を計測する複数のセンサ端末と、各センサ端末と通信線により接続され、各々のセンサ端末をＩＤコードに基づいて呼び出して当該センサ端末から物理量の計測データを通信線を介して返送させ、該計測データを受信する監視装置とで構成される遠隔監視システムにおいて、
各センサ端末に、監視装置からＩＤコードを転送する指示が通信線を介して送られてくると指示内容に応じて自己のＩＤコードの各桁のビットデータを順次通信線を介して送信する手段を備え、
監視装置に、前記指示を送信するとともに、該指示に応じてセンサ端末から送信されてくるビットデータを受信して各センサ端末のＩＤコードをサーチするＩＤサーチ手段と、サーチした各センサ端末のＩＤコードを少なくとも次回のサーチモードでのＩＤサーチが終了するまで保存する記憶手段とを備えるとともに、ＩＤサーチの終了時がＩＤサーチの成功／不成功を判定し、不成功のときに前回のＩＤサーチ時に記憶手段に記憶している各センサ端末のＩＤコードを用いてセンサ端末の呼び出しを行い、通信線に接続されているセンサ端末の確認を行うＩＤコード確認手段とを備えていることを特徴とする遠隔監視システム。
【請求項２】
夫々に固有のＩＤコードを有し、監視対象の物理量を計測する複数のセンサ端末と、各センサ端末と通信線により接続され、各々のセンサ端末をＩＤコードに基づいて呼び出して当該センサ端末から物理量の計測データを通信線を介して返送させ、該計測データを受信する監視装置とで構成される遠隔監視システムにおいて、
各センサ端末に、監視装置からＩＤコードを転送する指示が通信線を介して送られてくると指示内容に応じて自己のＩＤコードの各桁のビットデータを順次通信線を介して送信する手段を備え、
監視装置に、前記指示を送信し、該指示に応じてセンサ端末から送信されてくるビットデータを受信して各センサ端末のＩＤコードをサーチするＩＤサーチ手段と、センサ端末のＩＤコードを入力する入力手段とを備えるとともに、ＩＤサーチの終了時がＩＤサーチの成功／不成功を判定し、不成功のときに入力手段により入力されたＩＤコードを用いてセンサ端末呼び出しを行い通信線に接続されているセンサ端末の確認を行うＩＤコード確認手段とを備えていることを特徴とする遠隔監視システム。
【請求項３】
監視装置に、各センサ端末のＩＤコードに対応して設定され、ユーザーが識別容易に表現されたユーザーＩＤを入力する手段と、この入力されたユーザーＩＤを対応するセンサ端末のＩＤコードに読み替える手段と、今回のＩＤサーチと前回のＩＤサーチで夫々サーチされたセンサ端末のＩＤコード中、同じＩＤコードがあれば当該ＩＤコードに対応するセンサ端末のユーザーＩＤを保持する機能を備えたことを特徴とする請求項１又は２記載の遠隔監視システム。
【請求項４】
監視装置には、監視装置に備えられた各センサ端末のログ情報を記憶する手段の記憶内容をクリアする手段を具備していることを特徴とする請求項１乃至３の何れか記載の遠隔監視システム。
【請求項５】
監視装置に、ＩＤサーチの正常／異常の判定と、ＩＤサーチ結果から通信線に接続されているセンサ端末数の正常／異常の判定とを行う手段と、何れかで異常と判定されたときに外部へ通知する手段とを備えていることを特徴とする請求項１乃至４の何れか記載の遠隔監視システム。
【請求項６】
監視装置に、ＩＤサーチが不成功時に再度ＩＤサーチをリトライさせるリトライ手段を備えていることを特徴とする請求項１乃至５の何れか記載の遠隔監視システム。
【発明の詳細な説明】
【０００１】
【発明の属する技術分野】
本発明は、遠隔から監視対象の物理量を監視する遠隔監視システムに関するものである。
【０００２】
【従来の技術】
従来、機器の周囲温度や湿度などの物理量を遠隔から監視するものとして、ダラス・セミコンダクタ社が開発した「１ワイヤ・バス・システム」を利用した遠隔監視システムが提供されている（特許文献１参照）。この「１ワイヤ・バス・システム」では、固有のＩＤコードが割り当てられたデバイスが１線（実際には通信線とグランドを含めた２線）式の通信ケーブルによりホスト・コントローラにデイジチェーンで接続され、ＩＤコードによってホスト・コントローラが個々のデバイスを識別して各デバイスとの間でデータ（例えば、温度や湿度の計測データ）を受信することができるようになっている。
【０００３】
【特許文献１】
特表２００１−５０８５６２号公報（第７−８頁、第１図）
【０００４】
【発明が解決しようとする課題】
ところで上述の従来システムでは、システムの初期起動時や必要に応じてホスト・コントローラからの指示で通信ケーブルに接続されている各デバイスのＩＤコードを転送させることができるようになっているが、通信線に高周波ノイズが重畳されたりしてデータエラーが起きて、ＩＤサーチが成功しない場合があり、そのためＩＤサーチで収集したＩＤコードを用いて各デバイスを呼び出し、データを転送させる監視動作に影響を与えていた。
【０００５】
本発明は上記の点にに鑑みて為されたものであり、その目的は外乱や通信線に施工の影響を少なくして通信線に接続されているセンサ端末の確認を確実にした遠隔監視システムを提供することにある。
【０００６】
【課題を解決するための手段】
上述の目的を達成するために、請求項１の発明では、夫々に複数ビット数で表現された固有のＩＤコードを有し、監視対象の物理量を計測する複数のセンサ端末と、各センサ端末と通信線により接続され、各々のセンサ端末をＩＤコードに基づいて呼び出して当該センサ端末から物理量の計測データを通信線を介して返送させ、該計測データを受信する監視装置とで構成される遠隔監視システムにおいて、各センサ端末に、監視装置からＩＤコードを転送する指示が通信線を介して送られてくると指示内容に応じて自己のＩＤコードの各桁のビットデータを順次通信線を介して送信する手段を備え、監視装置に前記指示を送信するとともに、該指示に応じてセンサ端末から送信されてくるビットデータを受信して各センサ端末のＩＤコードをサーチするＩＤサーチ手段と、サーチした各センサ端末のＩＤコードを少なくとも次回のサーチモードでのＩＤサーチが終了するまで保存する記憶手段とを備えるとともに、ＩＤサーチの終了時がＩＤサーチの成功／不成功を判定し、不成功のときに前回のＩＤサーチ時に記憶手段に記憶している各センサ端末のＩＤコードを用いてセンサ端末の呼び出しを行い、通信線に接続されているセンサ端末の確認を行うリトライ手段とを備えていることを特徴とする。
【０００７】
請求項１の発明によれば、センサ端末のＩＤサーチが成功しない場合にあっても、前回のＩＤサーチで記憶しているＩＤコードを利用して接続されているセンサ端末を確認することができるので、ＩＤサーチ時にノイズ等の外乱や通信線の施工の影響があっても、その少なくして通信線に接続されているセンサ端末の確認を確実に行え、通常動作への移行が速やかに行える。
【０００８】
請求項２の発明では、夫々に固有のＩＤコードを有し、監視対象の物理量を計測する複数のセンサ端末と、各センサ端末と通信線により接続され、各々のセンサ端末をＩＤコードに基づいて呼び出して当該センサ端末から物理量の計測データを通信線を介して返送させ、該計測データを受信する監視装置とで構成される遠隔監視システムにおいて、各センサ端末に、監視装置からＩＤコードを転送する指示が通信線を介して送られてくると指示内容に応じて自己のＩＤコードの各桁のビットデータを順次通信線を介して送信する手段を備え、監視装置に、前記指示を送信し、該指示に応じてセンサ端末から送信されてくるビットデータを受信して各センサ端末のＩＤコードをサーチするＩＤサーチ手段と、センサ端末のＩＤコードを入力する入力手段とを備えるとともに、ＩＤサーチ手段によるＩＤサーチが失敗したときに入力手段により入力されたＩＤコードを用いてセンサ端末呼び出しを行い通信線に接続されているセンサ端末の確認を行うリトライ手段とを備えていることを特徴とする。
【０００９】
請求項２の発明によれば、センサ端末のＩＤサーチが成功しない場合に、入力手段で入力されている既知のＩＤサーチを利用して接続されているセンサ端末を確認することができるので、ＩＤサーチ時にノイズ等の外乱や通信線の施工の影響があっても、その少なくして通信線に接続されているセンサ端末の確認を確実に行え、通常動作への移行が速やかに行える。
【００１０】
請求項３の発明では、請求項１又は２の発明において、監視装置に、各センサ端末のＩＤコードに対応して設定され、ユーザーが識別容易に表現されたユーザーＩＤを入力する手段と、この入力されたユーザーＩＤを対応するセンサ端末のＩＤコードに読み替える手段と、今回のＩＤサーチと前回のＩＤサーチで夫々サーチされたセンサ端末のＩＤコード中、同じＩＤコードがあれば当該ＩＤコードに対応するセンサ端末のユーザーＩＤを保持する機能を備えてことを特徴とする。
【００１１】
請求項３の発明によれば、センサー端末のＩＤコードをユーザーが分かり易い形で取り扱うことができ、しかも前回のＩＤサーチ時と今回のＩＤサーチ時における接続センサ端末の変化を保持されるユーザーＩＤにより把握できるため、設備・状況のユーザーによる管理が容易となる。
【００１２】
請求項４の発明では、請求項１乃至３の何れかの発明において、監視装置には、監視装置に備えられた各センサ端末のログ情報を記憶する手段の記憶内容をクリアする手段を監視装置に具備していることを特徴とする。
【００１３】
請求項４の発明によれば、ユーザーによりセンサ端末の接続状況の変化に応じてログ情報の管理が行える。
【００１４】
請求項５の発明では、請求項１乃至４の何れかの発明では、ＩＤサーチの正常／異常の判定と、ＩＤサーチ結果から通信線に接続されているセンサ端末数の正常／異常の判定とを行う手段と、何れかで異常と判定されたときに外部へ通知する手段とを監視装置に備えていることを特徴とする。
【００１５】
請求項５の発明によれば、センサ端末の接続数の異常やＩＤサーチの異常をユーザーに知らせることができ、そのため異常解消のための対策が迅速に行える。
【００１６】
請求項６の発明では、請求項１乃至５の何れかの発明において、監視装置に、ＩＤサーチが不成功時に再度ＩＤサーチをリトライさせるリトライ手段を備えていることを特徴とする。
【００１７】
請求項６の発明によれば、ＩＤサーチの成功確率を向上させることができる。
【００１８】
【発明の実施の形態】
以下、本発明を多数の機器の周囲温度を遠隔から監視する温度監視システムに適用した実施形態について、図面を参照して詳細に説明する。但し、本発明における監視対象の物理量は温度に限定されるものではなく、湿度などの他の物理量も監視対象になり得ることは言うまでもない。
【００１９】
本実施形態の遠隔監視システムは、従来技術で説明したダラス・セミコンダクタ社の「１ワイヤ・バス・システム」を利用するものであって、図１に示すように機器の周囲温度を計測する複数のセンサ端末Ａ１，Ａ２，…と、各センサ端末Ａｎ（ｎ＝１，２，…）と通信ケーブルＣにより接続され、各々のセンサ端末Ａｎから送信される物理量（温度）の計測データを通信ケーブルＣを介して受信する監視装置Ｂとで構成される。
【００２０】
監視装置Ｂは、マイクロコンピュータ１０と、各センサ端末Ａｎの計測データの推移やアクセス履歴等ログ情報を記憶する記憶手段や、ＩＤサーチ時にサーチしたＩＤコードを次のＩＤサーチが終了するまで記憶する記憶手段を構成するメモリ１１と、センサ端末Ａｎとの間でデータ通信を行うための通信ドライバＩＣ１２と、３端子レギュレータＩＣからなり、マイコン１０や通信ドライバＩＣ１２並びにセンサ端末Ａｎの動作電源ＶＤＤを供給する電源部１３とを具備する。
【００２１】
通信ドライバＩＣ１２は、「１ワイヤ・バス・システム」のバス制御用ドライバＩＣ（ダラス・セミコンダクタ社製  ＤＳ２４８０など）からなり、マイコン１０とセンサ端末Ａｎが具備する温度センサＩＣ（後述する）とのインタフェースの役割を果たすものである。
【００２２】
通信ケーブルＣは、給電用の電源線３１、通信線３２並びに接地線３３を有し、例えば、両端にＲＪ−１１と呼ばれる電話回線用のモジュラプラグが接続されたペア線のケーブル（所謂モジュラケーブル）によって構成される。
【００２３】
センサ端末Ａｎは、温度センサやデータの送受信回路、並びに固有のＩＤコードを記憶したＲＯＭなどを１チップに集積化した温度センサＩＣ（ダラス・セミコンダクタ社製  ＤＳ１８２０など）１と、通信ケーブルＣが接続される２つの接続部２Ａ，２Ｂとを具備する。尚接続部２Ａ，２Ｂは通信ケーブルＣのモジュラプラグが挿抜自在に接続されるモジュラジャックから構成される。マイコン１０は通信部１４を通じてインターネット等のネットワークＮＴに接続され、ネットワークＮＴ上のネット端末２０のＷｅｂブラウザで閲覧可能なＷｅｂページを提供するＷｅｂサーバ機能１０ａを備えている。
【００２４】
図２は温度センサＩＣ１のブロック図を示しており、温度に応じた電気信号を出力するセンサ部３と、センサ部３から出力される電気信号を温度の計測データに変換するデータ変換部４と、監視装置Ｂから送信されるデータの処理やデータ変換部４で変換された計測データの送信制御を行うコントロール部５と、通信線３２を介して監視装置Ｂの通信ドライバＩＣ１２との間でデータの送受信を行うとともに固有のＩＤを記憶するＲＯＭや電源線３１で供給される動作電源ＶＤＤを各部に送る送受信部６とを具備している。この送受信部６並びに監視装置Ｂの通信ドライバＩＣ１２は、図示しない抵抗でプルアップされた通信線３２と接地線３３の間に挿入されたトランジスタをオン・オフすることで２値の信号を送信しており、単位時間（タイムスロット）の間のＬレベルのパルス幅でデータが表現される。また、２つの接続部２Ａ，２Ｂは送受信部６に対して並列に接続されており、両者を接続する電源線３１と通信線３２との間にフィルタ部の抵抗Ｒが挿入され、同じく両者を接続する通信線３２と接地線３３との間にフィルタ部のコンデンサＣが挿入されている。なお、温度センサＩＣ１並びに通信ドライバＩＣ１２の詳細な構成及び動作については説明を省略する。
【００２５】
上述のように構成される本実施形態の遠隔監視システムによれば、施工完了後などにおいて、通信線３２に接続されているセンサ端末ＡｎのＩＤコードが監視装置Ｂ側では未知であるため、まず監視装置Ｂ側から接続されているセンサ端末ＡｎのＩＤコードをサーチする動作モードを設定する。
【００２６】
この場合マイコン１０に付設された操作部（図示せず）の操作或いはネットワーク上のネット端末２０のＷｅｂブラウザで閲覧されるＷｅｂページ上の操作からユーザーが、アイコン１０に対してＩＤサーチ動作を指示すると、マイコン１０は通信ドライバＩＣに対してＩＤサーチを行うように指令する。
【００２７】
通信ドライバＩＣ１２は、サーチコマンドを送り、通信線３２に接続されている各センサ端末Ａｎはサーチコマンドの指示に基づいて定められた手順とタイミングに基づいて自己のＩＤコードのデータを送信する。
【００２８】
上記手順とタイミングは「１ワイヤ・バス・システム」の仕様で定められており、この手順とタイミングに基づいて通信ドライブＩＣは、通信線３２に接続されている各センサ端末ＡｎのＩＤコードの各桁のビットの値を問い合わせる指示をサーチコマンドにより行い、各センサ端末Ａｎから自己のＩＤコードの該当桁のビットの論理値を信号線３２と接地線３３との間をオンオフさせることで送信させるのである。
【００２９】
そして通信ドライバＩＣ１２はこのときの信号線３２の信号レベルから当該桁の論理値が”１”或いは”０”のセンサ端末Ａｎの存在の有無を検出するのである。そしてＩＤコードの各桁について問い合わせを順次行って通信線３２に接続されている全てのセンサ端末ＡｎのＩＤコードを収集し、そのＩＤコードをマイコン１０へ渡すのである。
【００３０】
マイコン１０は収集されたた各センサ端末ＡｎのＩＤコードをメモリ１１に記憶させる。この記憶されたＩＤコードは少なくとも次のＩＤサーチの終了されるまで保持される。そして記憶されたＩＤコードは、マイコン１０の制御の下で通信ドライバＩＣ１２を通じてセンサ端末Ａｎを呼び出す際に用いられることになる。
【００３１】
ところで、上記のＩＤサーチにおいて、外乱や信号線３２の施工状態によってＩＤサーチが正常に行えない場合ある。つまりノイズ等によってサーチコマンドが乱れ、該サーチコマンドに対応した回答がセンサ端末Ａｎから送られてこない場合や、タイミングのずれなどにより正常に行えない場合がある。一方ＩＤサーチは正常に行えたものの、通信線３２に許容されている接続数以上のセンサ端末Ａｎが接続されていたり、全くセンサ端末Ａｎが接続されていない場合などの不都合も施工状況によっては起こりうる。
【００３２】
そこで、本実施形態のマイコン１０は図３に示すフローチャートに対応する動作プログラムを実行し、ＩＤサーチの成功／不成功を判定し、不成功時にＩＤサーチをリトライするリトライ機能や、リトライが不成功な場合に、前回のＩＤサーチによって収集したＩＤコードによってセンサ端末Ａｎを呼び出すＩＤコード確認機能と、ＩＤサーチによって接続されているセンサ端末Ａｎの数を判定し、その判定結果をＷｅｂサーバ機能１０ａが提供するＷｅｂページを通じてネット端末１０ａにより表示させる機能と、上記ＩＤサーチのリトライが不成功の場合に上述と同様にＷｅｂページを通じて外部に通知する機能を備えている。勿論表示、通知手段を監視装置Ｂに備えていても良い。
【００３３】
而して本実施形態では、上述のＩＤサーチが開始される（ステップＳ１）、上述のＩＤサーチの処理が通信ドライバＩＣ１２を通じて行われる（ステップＳ２）。そしてＩＤサーチが完了すると、マイコン１０はＩＤサーチ結果からＩＤサーチが成功したか否かの判定を行う（ステップＳ３）。
【００３４】
この判定でＩＤサーチが成功している場合には、マイコン１０は収集したＩＤコードから接続されているセンサ端末Ａｎの数をチェックし、その数が接続許容数に対応した規定値を越えているか、或いは接続数が０か、又は１以上で規定値以内なのかを判定する（ステップＳ４）。つまりセンサ端末Ａｎの接続数の異常か正常かを判定するのである。
【００３５】
この判定結果に基づいて、マイコン１０の制御の下で、『警告「端末センサが規定接続数を越えています。」』、或いは『センサ端末が接続されていません』等のメッセージや通常を示す表示を上述のＷｅｂサーバ機能１０が提供するＷｅｂページ上で行う。
【００３６】
また一方上記ステップＳ３でＩＤサーチが不成功と判定した場合、マイコン１０はＩＤサーチをリトライするためにＩＤサーチ動作を通信ドライバＩＣ１２に指示し、上述と同様にＩＤサーチのリトライを行わせる（ステップＳ５）。そしてリトライによるＩＤサーチが完了すると、マイコン１０は上述と同様にリトライの成功／不成功を判定する（ステップＳ６）。この判定結果が成功した場合にはステップＳ４においてセンサ端末Ａｎの接続数についての判定を上述と同様に行う。
【００３７】
一方リトライによるＩＤサーチが不成功の場合には、前回のＩＤサーチ時にメモリ１１に記憶させているＩＤコードでサーチ（呼び出す）か（ステップＳ７ａ）、或いはネット端末２０で閲覧されているＷｅｂページ上の入力部上やマイコン１０に付設している操作部等の入力手段から入力される既知のセンサ端末ＡｎのＩＤコードを用いてセンサ端末Ａｎを呼び出し（ステップＳ７ｂ）、ＩＤコードに対応したセンサ端末Ａｎの接続確認を行う。そしてステップＳ８で接続確認が成功したと判定すると、上述のステップＳ４での判定を行い、ステップＳ８の判定が不成功の場合には端末センサＡｎのＩＤサーチの異常、つまり検出エラーと判断し、上述のようにＷｅｂサーバ機能１０ａが提供するＷｅｂページ上に検出エラーを表示したり、或いは電子メールなどで予め登録されているユーザーアドレスへ通知し、ユーザーに異常を知らせる（ステップＳ９）。
【００３８】
尚ステップＳ７ａ、ステップＳ７ｂの処理をユーザーで選択できるようにするか、或いは何れか一方の処理を行う構成としても良い。
【００３９】
また接続センサ端末Ａｎの確認のために用いるＩＤコードを入力する手段としては、キーボード等の手入力の操作部の他にＩＤコードを書き込んだＣＳＶ形式のファイルをマイコン１０へ読み込ませる手段、或いはセンサ端末Ａｎの本体にＩＤコードを示すバーコードを印刷などで表記しておき、このバーコードをバーコードリーダで読み取ってＩＤコードを収集し、この収集したＩＤコードをマイコン１１へ通信手段などで転送させる等の手段を用いれば良い。
【００４０】
而して上述のＩＤサーチが成功すると通常動作に移行することになり、通常動作に移行すると、各センサ端末Ａｎは監視対象とする機器の周囲温度（雰囲気温度）を逐次計測する。そして監視装置Ｂから自己のＩＤコードによって呼び出され計測データの送信指示のコマンドを受け取ると、計測データを通信ケーブルＣを介して監視装置Ｂに送信し、監視装置Ｂのマイコン１０ではセンサ端末Ａｎから送られてくる計測データの推移やセンサ端末Ａｎに対するアクセスなどの履歴情報をメモリ１１にログ情報として記憶させる。またマイコン１０は計測データに基づいて機器の動作状態を監視し、例えば計測データの温度値が機器の動作保証範囲を外れるような異常が発生していると判断される場合にネットワークを通じてマイコン１０がネット端末へ通知するようにプログラムされている。
【００４１】
ところで、マイコン１０ではＣＲＣチェックなどにより、センサ端末Ａｎから送信されてくる計測データのエラーをチェックしており、エラーが検出された場合には再度当該センサ端末Ａｎに計測データを送らせるようにコマンドを送るリトライ処理機能を備え、これにより計測データの取得の成功確率を向上させるようになっている。
【００４２】
また、本実施形態の遠隔監視システムでは、センサ端末Ａｎをユーザーにより自由に交換したり増設することができるようになっているので、このような場合にはメモリ１１に記憶させているログ情報中、接続を外されたセンサ端末Ａｎに対応するログ情報を、マイコン１０に付設する操作部（図示せず）やネット端末２０で閲覧されるＷｅｂページ上からの指示でクリアすることができるようになっている。つまり付設した操作部やＷｅｂページ上の操作部でログ情報のクリアを行う動作モードを設定し、その後定められた手順でクリア対象となるセンサ端末ＡｎのＩＤコードとクリアの要否を入力することで、上記のログ情報のクリアが行えることになる。
【００４３】
更に上記のＩＤコードは多数ビットで構成されるため、ＩＤコードを見ても個々のセンサ端末Ａｎを識別するのは難しく、また操作部を用いてＩＤコードを手入力する場合にも誤入力する恐れがある。そこでユーザーにとって分かりやすく表したユーザーＩＤ（例えばＮｏ表記等）をＩＤコードに１対１で対応付けて設定し、ユーザーＩＤによりセンタ端末Ａｎの個々の識別を容易とするとともに、ＩＤ入力時の取り扱いも容易とするようにしても良い。
【００４４】
この場合メモリ１１にＩＤコードとユーザーＩＤとの読み替え用のテーブルを設け、マイコン１０ではこのテーブルを参照することでＩＤコードとユーザーＩＤとの対応付けを行う。
【００４５】
そして例えば前回のＩＤサーチと今回のＩＤサーチとでサーチされたＩＤコード中同じＩＤコードが有った場合、当該ＩＤコードに対応するユーザーＩＤをメモリ１１に記憶し、このユーザーＩＤをマイコン１０を通じてＷｅｂページ上やマイコン１０に付設される表示部に任意に読み出し可能とすることで、センサー端末Ａｎの追加や減少等の変更に対応したユーザーによる設備・状況の管理を容易とすることもできる。
【００４６】
【発明の効果】
請求項１の発明は、センサ端末のＩＤサーチが成功しない場合にあっても、前回のＩＤサーチで記憶しているＩＤコードを利用して接続されているセンサ端末を確認することができるので、Ｄサーチ時にノイズ等の外乱や通信線の施工の影響があっても、その少なくして通信線に接続されているセンサ端末の確認を確実に行え、通常動作への移行が速やかに行える。
【００４７】
請求項２の発明は、センサ端末のＩＤサーチが成功しない場合に、入力手段で入力されている既知のＩＤサーチを利用して接続されているセンサ端末を確認することができるので、ＩＤサーチ時にノイズ等の外乱の影響があっても、通常動作への移行が速やかに行える。
【００４８】
請求項３の発明は、センサー端末のＩＤコードをユーザーが分かり易い形で取り扱うことができ、しかも前回のＩＤサーチ時と今回のＩＤサーチ時における接続センサ端末の変化を保持されるユーザーＩＤにより把握できるため、設備・状況のユーザーによる管理が容易となる。
【００４９】
請求項４の発明は、ユーザーによりセンサ端末の接続状況の変化に応じてログ情報の管理が行える。
【００５０】
請求項５の発明は、センサ端末の接続数の異常やＩＤサーチの異常をユーザーに知らせることができ、そのため異常解消のための対策が迅速に行える。
【００５１】
請求項６の発明は、ＩＤサーチの成功確率を向上させることができる。
【図面の簡単な説明】
【図１】本発明の一実施形態を示すシステム構成図である。
【図２】同上におけるセンサ端末のブロック図である。
【図３】同上におけるＩＤサーチの動作説明用フローチャートである。
【符号の説明】
Ａｎ  センサ端末
Ｂ  監視装置
Ｃ  通信ケーブル
ＮＴ  ネットワーク
１  温度センサＩＣ
１０  マイコン
１０ａ  Ｗｅｂサーバ機能
１２  通信ドライバＩＣ
２０  ネット端末
３１  電源線
３２  通信線
３３  接地線
【図１】
2005020271.tif 000003
【図２】
2005020271.tif 000004
【図３】
2005020271.tif 000005